(57)【要約】      （修正有）【課題】農機具や荷物などを背中に担ぐ時に、簡単に担がれて、しかも楽に立ち上がることが出来る担ぎ台を提供し、合わせて簡単に持ち運びが出来るようにすることで多く使えることから労力の軽減化が図られ、収納する際にもスペースをとらない担ぎ台を提供する。【解決手段】担ぎ台１は、農機具など背中に担ぐ物を置く台３の高さを、腰掛ける台２の高さよりも高くして設けて、担ぐ物が担ぎやすく立ち上がりやすいようにした。また腰掛ける台の両脇前側部分に、立ち上がる時に手でも踏ん張れることができる為の手置き部６を設けて楽に立ち上がりやすいようにした。また前脚４と後脚５と腰掛ける台と担ぐ物を置く台はそれぞれに折りたたむことが出来るようにしたことにより作業場所などに簡単に持ち運びが出来、収納する際にもスペースをとらないようにした。【選択図】図１
0003133736.tif 000002
【実用新案登録請求の範囲】
【請求項１】
担ぐ物を置く台の高さを腰掛ける台の高さよりも高くして設け、前脚と後脚と腰掛ける台と担ぐ物を置く台はそれぞれに折りたたむことが出来ることを特徴とする担ぎ台。
【請求項２】
腰掛ける台の両脇前側部分に手を置く所が設けてあることを特徴とする請求項１記載の担ぎ台。
【請求項３】
担ぐ物を置く台は、担ぐ物を担ぐ位置から床面近くまで上下させることが出来ることを特徴とする請求項１記載の担ぎ台。
【考案の詳細な説明】
【技術分野】
【０００１】  この考案は、農業などの作業で、背負い式動力散布機などの農機具や荷物などを背中に担いで立ち上がる際に用いる担ぎ台の形状に関する。
【背景技術】
【０００２】  農業などで背中に物を担いで行う作業の中で特に大変な事は、重い物を背中に担いで立ち上がる時に大変な労力が必要となる事である。例えば、肥料や薬剤などを散布する時に使用する背負い式動力散布機に肥料や薬剤などを一杯に入れて、背中に担いで立ち上がる時には重い為に、立ち上がりにくく大変な労力を要し、しかもその回数が多くなるとそれは大変難儀な作業である。従来まで担ぎ易くする為の適当する器材などが無い為に作業者は背中に物を担ぐ場合には、背中に担ぐ物を「軽トラックの荷台」や「ビール瓶の空きケースの上」や「地面の凹凸部分」などに置いた状態にしてから担いで立ち上がっている。
【考案の開示】
【考案が解決しようとする課題】
【０００３】  しかしながら以上の技術によれば、いずれも担ぎにくく、しかも立ち上がりにくく、特に肥料や薬剤などを散布する場所がいくつかの場所に分かれている場合には、その場所その場所で背負い式動力散布機などを背中に担いで立ち上がる事は大変であった。そこでこの考案は、農機具や荷物などを背中に担ぐ時に、簡単に担がれて、しかも楽に立ち上がることが出来る器材として使用する担ぎ台を提供することを課題とし、合わせてその担ぎ台は簡単に持ち運びが出来るようにすることで多く使えるようにし、また収納する際にもスペースをとらない担ぎ台を提供し、また、担ぎ台に置いた担ぐ物、例えば背負い式動力散布機に肥料などを入れる際に入れやすい担ぎ台を提供することを課題とする。
【課題を解決するための手段】
【０００４】  以上の課題を解決するために、本考案の担ぎ台の第一考案は、担ぐ物を置く台の高さを腰掛ける台の高さよりも高くして設けたことから、背中に担ぐ物が担ぎやすく、立ち上がりやすくなり、しかも作業場所などに簡単に持ち運びが出来るように、また収納する時にもスペースをとらないようにする為に、前脚と後脚と腰掛ける台と担ぐ物を置く台は、それぞれに折りたたむことが出来るようにした。また、第二考案は、腰掛ける台の両脇前側部分に手を置く所を設けて、立ち上がる時に手でも踏ん張れて、楽に立ち上がられるようにした担ぎ台である。また、第三考案は、担ぐ物を置く台に担ぐ物、例えば背負い式動力散布機を置いた時に、その中に肥料などを入れやすくする為に、担ぐ物を置く台は床面近くまで下げることが出来るようにした。
【考案の効果】
【０００５】  第一考案によれば、農機具など背中に担ぐ物を置く台の高さを、腰掛ける台の高さよりも高く設けてあるので、背中に担ぐ物が担ぎやすく、立ち上がりやすい担ぎ台である。合わせて本考案の担ぎ台は前脚と後脚と腰掛ける台と担ぐ物を置く台はそれぞれに折りたたむことが出来るようにしたことにより、使用場所などに簡単に持ち運びが出来、しかも収納する際にもスペースをとらない。また第二考案によれば、本考案の担ぎ台は腰掛ける台の両脇前側部分に手を置く所を設けたので、立ち上がる時に手でも踏ん張れることで楽に立ち上がることが出来る。また、第三考案によれば、担ぐ物を置く台は床面近くまで下げることが出来るようにしたことから、担ぐ物を置く台に担ぐ物、例えば背負い式動力散布機を置いた時に、その中に肥料などを入れやすい。
【考案を実施するための最良の形態】
【０００６】  この考案の実施形態を図面に基づき説明する。
図１は本考案の実施形態を表した斜視図であり、金属製パイプ材を用いた前脚４は下連結部１９と背側部７とが一体構成になっている。金属製パイプ材を用いた後脚５は下連結部１８と金具８と一体で、支点９により前脚４に連結されている。腰掛ける台２は支点１０により後脚５に連結され、金具１１に支持されている。金具１１は支点１７で腰掛ける台２と支点１６で前脚４に取り付けてある。以上の構成から前脚４と後脚５と腰掛ける台２は市販の折りたたみパイプ椅子のように図３の如く折りたたむことが出来る。また腰掛ける台２には両脇前側に手置き部６が設けてある。物を置く台３は回転自在部１２により前脚４の背側部７に連結され、その回転自在部１２を軸にして物を置く台３が揺動出来るようになっており、金具１３を介し、ストッパーパイプ１４と金具１５によって後脚５に連結されている。図２は本考案の実施形態を表した側面図であり、物を置く台３は腰掛ける台２より高さＨの分だけ高く設置されている。Ｈは日本人の背丈からして概ね１０〜１５センチ位が背中に物を担ぎやすい高さであるので、本考案の担ぎ台のＨもこの高さに設定されている。図３は本考案の実施形態を表し、折りたたんだ時の側面図であり、図１の構成から判るように、前脚４と後脚５と腰掛ける台２は市販の折りたたみ式パイプ椅子のように折りたたむことが出来る。また物を置く台３は回転自在部１２を軸に矢印Ａの上側と矢印Ｂの下側に折りたたむ事が出来る。図４は本考案の実施形態を表した平面図である。図５は本考案の担ぎ台を用いて作業者Ｗが背中に背負い式動力散布機Ｓを担いだ時の状態図であり、物を置く台３の高さが腰掛ける台２よりＨの分だけ高く設置されてあることと、腰掛ける台２の前側両脇に設けた手置き部６に手をついて踏ん張っても立ち上がることが出来ることから、背中に物を担ぎやすく、立ち上がりが楽に出来る。
【実施形態の効果】
【０００７】  この実施形態によれば、図５の図示の如く、物を置く台３の高さが腰掛ける台２よりＨの分だけ高く設置されてあることと、腰掛ける台２の両脇前側に設けた手置き部６に手をついて踏ん張れることから、背中に物を担ぎやすく、立ち上がりが楽に出来る。また図３の如く、前脚４と後脚５と腰掛ける台２と担ぐ物を置く台３はそれぞれに折りたたむことが出来るようにしたことにより簡単に持ち運びが出来、しかも収納する際にもスペースをとらないで済む。
【他の実施形態】
【０００８】  図６に本考案担ぎ台の他の実施形態を表す。図１〜図５に示す担ぎ台１の物を置く台３の床面からの高さは固定であったが、図６に示す如く担ぎ台１の物を置く台３は、床面近くまで下げるようにしたものでもよい。以下図６に示す担ぎ台１の実施形態について図面に基づき説明する。腰掛ける台２の構成は図１と同じであり、物を置く台３は金具１０及び１２と一体で、支点１１及び８と支え棒６を介して金具７と前脚４に連結され、後脚５のストッパーピン９により固定されている。同時に物を置く台３は、支点１３及び支え棒１４及び支えパイプ１８及び支点１５及び金具１６を介し後脚５に連結され、ピン１７により固定されている。従って上記の構成から解るように、ピン１７を支えパイプ１８より引き抜く事により、支え棒６は支点８を基点にして床面まで揺動し、支え棒１４は支えパイプ１８の内部を下降することによって、物を置く台３は矢印Ｂの方向の床面近くの二点鎖線の位置まで下げる事が出来る。これにより、担ぐ物を置く台に担ぐ物、例えば背負い式動力散布機を置いた時に、その中に肥料などを入れ易くすることが出来る。また、図１〜５に示す腰掛ける台２と前脚４と後脚５の３者の構成については、本考案の担ぎ台１の図１〜５で示した構成とは異なる他の一般に市販されている折りたたみ式パイプ椅子の構成を本考案の担ぎ台と組み合わせてもよい。
【図面の簡単な説明】
【０００９】
【図１】本考案の実施形態を表した斜視図である。〔符号の説明〕
【００１０】  １  担ぎ台  ２  腰掛ける台  ３  物を置く台  ４  前脚  ５  後脚  ６  手置き部  ７  背側部  ８  金具  ９  支点  １０  支点  １１  金具  １２  回転自在部  １３  金具  １４  ストッパーパイプ  １５  金具  １６  支点  １７  支点  １８  下連結部  １９  下連結部
【図２】本考案の実施形態を表した側面図である。〔符号の説明〕
【００１１】  １  担ぎ台  ２  腰掛ける台  ３  物を置く台  Ｈ  腰掛ける台と物を置く台の高さの差
【図３】本考案の実施形態を表し、折りたたんだ時の側面図である。〔符号の説明〕
【００１２】  １  担ぎ台  ２  腰掛ける台  ３  物を置く台  ４  前脚  ５  後脚  １２  回転自在部  Ａ  物を置く台３の上側への折りたたみ方向矢印  Ｂ  物を置く台３の下側への折りたたみ方向矢印
【図４】本考案の実施形態を表した平面図である。
【図５】本考案の担ぎ台に腰掛けて背負い式動力散布機を背中に担いだ図である。〔符号の説明〕
【００１３】  １  担ぎ台  ２  腰掛ける台  ３  物を置く台  ６  手置き部  Ｈ  腰掛ける台と物を置く台の高さの差  Ｓ  背負い式動力散布機  Ｗ  作業者
【図６】本考案の他の実施形態を表した側面図である。〔符号の説明〕
【００１４】  １  担ぎ台  ２  腰掛ける台  ３  物を置く台  ４  前脚  ５  後脚  ６  支え棒  ７  金具  ８  支点  ９  ストッパーピン  １０  金具  １１  支点  １２  金具  １３  支点  １４  支え棒  １５  支点  １６  金具  １７  ピン  １８  支えパイプ
【図１】
0003133736.tif 000003
【図２】
0003133736.tif 000004
【図３】
0003133736.tif 000005
【図４】
0003133736.tif 000006
【図５】
0003133736.tif 000007
【図６】
0003133736.tif 000008
【手続補正書】
【提出日】平成19年4月11日(2007.4.11)
【手続補正１】
【補正対象書類名】実用新案登録請求の範囲
【補正対象項目名】請求項１
【補正方法】変更
【補正の内容】
【請求項１】
腰掛ける台と担ぐ物を置く台を別々に設け、担ぐ物を置く台の高さを腰掛ける台の高さよりも高くして設け、前脚と後脚と腰掛ける台はそれぞれ左右一対の支点で連結させてそれぞれに折りたたむことが出来るようにし、担ぐ物を置く台は、担ぐ物を置く台と後脚を連結しているストッパーパイプの片側の連結部を解除することで前脚に連結された回転自在部を軸にして折りたたむことが出来ることを特徴とする担ぎ台。
【手続補正２】
【補正対象書類名】実用新案登録請求の範囲
【補正対象項目名】請求項３
【補正方法】変更
【補正の内容】
【請求項３】
前脚と後脚のそれぞれの支点に連結された支え棒と支えパイプに支えられた担ぐ物を置く台は、ピンを解除することで一方の支え棒と支えパイプが前記支点を軸にして回転し、他方の支え棒が支えパイプの内部を下降することで、物を担ぐ位置から床面近くまで下降することが出来ることを特徴とする請求項１の担ぎ台。